【手続補正書】
【提出日】平成19年9月26日(2007.9.26)
【手続補正１】
【補正対象書類名】明細書
【補正対象項目名】特許請求の範囲
【補正方法】変更
【補正の内容】
【特許請求の範囲】
【請求項１】  映像信号レベルを測定する測定器であって、該測定器は、
ａ）被撮影物を撮影するビデオ・カメラから、輝度信号と色差信号とを含む映像出力信号を入力し、前記映像出力信号をＲＧＢ化処理して映像データを生成する手段と、
ｂ）前記映像データ内に指定される位置の映像信号レベルを測定し、映像信号レベル・データを生成する手段と、
ｃ）前記映像データと前記映像信号レベル・データとを含む表示データを生成する手段と、
を備える測定器。
【請求項２】  請求項１に記載の測定器において、該装置はさらに、
ｄ）前記位置に対応する位置データを、映像信号レベルを表示する表示装置から受信する手段と、
ｅ）前記表示データを、前記表示装置に対して送信する手段と、
を備える測定器。
【請求項３】  請求項２に記載の測定器において、
前記手段ｄ）は、前記位置データを、無線を介して受信し、
前記手段ｅ）は、前記表示データを、無線を介して送信する、測定器。
【請求項４】  請求項１に記載の測定器において、該測定器はさらに、
ｆ）前記映像信号レベルが所定の範囲内にあるか否かを判定し、判定データを生成する手段を備え、
前記手段ｃ）は、前記判定データをさらに含む前記表示データを生成する、測定器。
【請求項５】  請求項４に記載の測定器において、
前記手段ｂ）は、赤色、緑色及び青色の映像信号レベル・データからなる前記映像信号レベル・データを生成し、
前記手段ｆ）は、赤色、緑色及び青色の判定データからなる前記判定データを生成する、測定器。
【請求項６】  請求項４に記載の測定器において、
前記手段ｂ）は、少なくとも輝度又は色差の成分を含む前記映像信号レベル・データを生成し、
前記手段ｆ）は、少なくとも輝度又は色差の成分を含む前記判定データを生成する、測定器。
【請求項７】  請求項２に記載の測定器において、
前記手段ｃ）は、前記表示データをＷｅｂコンテンツ・データ形式で生成し、
前記手段ｅ）は、Ｗｅｂコンテンツ・データ形式の前記表示データを送信する、測定器。
【請求項８】  請求項１に記載の測定器において、該測定器はさらに、
ｇ）前記映像データ内に指定される位置に対応するポインタ・データを生成する手段を備え、
前記手段ｃ）は、前記ポインタ・データをさらに含む前記表示データを生成する、測定器。
【請求項９】  請求項１に記載の測定器において、該測定器はさらに、
ｈ）前記手段ａ）によって生成される前記映像データを、指定される倍率データに対応する倍率で、拡大し又は縮小する手段を備え、
前記手段ｃ）は、拡大され又は縮小された映像データを含む前記表示データを生成する、測定器。
【請求項１０】  請求項１〜請求項９の何れか１項に記載の測定器において、
該測定器が、ウェーブ・フォーム・モニタである、測定器。
【請求項１１】  映像信号レベルを表示する表示装置であって、該表示装置は、
ａ）映像データと映像信号レベル・データとを含む表示データを、映像信号レベルを測定する測定器から受信する手段と、
ｂ）前記表示データを視覚化し、映像と映像信号レベルとを表示する手段と、
ｃ）表示された前記映像内の位置を指定し、位置データを生成する手段と、
ｄ）前記位置データを、前記測定器に対して送信する手段と、
を備える表示装置。
【請求項１２】  請求項１１に記載の表示装置において、
前記手段ａ）は、前記表示データを、無線を介して受信し、
前記手段ｄ）は、前記位置データを、無線を介して送信する、表示装置。
【請求項１３】  請求項１１に記載の表示装置において、
前記手段ａ）は、前記映像信号レベルが所定の範囲内にあるか否かを示す判定データをさらに含む前記表示データを受信し、
前記手段ｂ）は、前記判定データをさらに含む前記表示データを視覚化し、判定をさらに表示する、表示装置。
【請求項１４】  請求項１３に記載の表示装置において、
前記手段ａ）は、赤色、緑色及び青色の映像信号レベル・データからなる前記映像信号レベル・データと赤色、緑色及び青色の判定データからなる前記判定データとを含む前記表示データを受信し、
前記手段ｂ）は、前記表示データを視覚化し、赤色、緑色及び青色の映像信号レベルからなる前記映像信号レベル・データと赤色、緑色及び青色の判定からなる前記判定とを表示する、表示装置。
【請求項１５】  請求項１３に記載の表示装置において、
前記手段ａ）は、少なくとも輝度又は色差の成分を含む前記映像信号レベル・データと少なくとも輝度又は色差の成分を含む前記判定データとを含む前記表示データを受信し、
前記手段ｂ）は、前記表示データを視覚化し、少なくとも輝度又は色差の成分を含む前記映像信号レベル・データと少なくとも輝度又は色差の成分を含む前記判定とを表示する、表示装置。
【請求項１６】  請求項１１に記載の表示装置において、該表示装置さらに、Ｗｅｂブラウザ機能を有し、
前記手段ａ）は、Ｗｅｂコンテンツ・データ形式の前記表示データをで受信し、
前記手段ｂ）は、前記Ｗｅｂブラウザ機能を利用して、Ｗｅｂコンテンツ・データ形式の前記表示データを視覚化する、表示装置。
【請求項１７】請求項１６に記載の表示装置において、
該表示装置が、ＰＤＡ（Personal Data Assistant）である、表示装置。
【請求項１８】  請求項１１に記載の表示装置において、該表示装置さらに、
ｅ）前記映像データ内に指定される位置に対応するポインタ・データを生成し、前記ポインタ・データをさらに含む前記表示データを生成する手段を備える表示装置。
【請求項１９】  請求項１１に記載の表示装置において、該表示装置はさらに、
ｆ）映像を拡大し又は縮小する倍率を指定し、倍率データを生成する手段を含み、
前記手段ｄ）は、前記倍率データを前記測定器に対して送信し、
前記手段ａ）は、拡大され又は縮小された映像データを含む前記表示データを前記測定器にから受信する表示装置。
【請求項２０】  映像信号レベルを測定する方法であって、
ａ）被撮影物を撮影するビデオ・カメラから、輝度信号と色差信号とを含む映像出力信号を入力し、前記映像出力信号をＲＧＢ化処理して映像データを生成するステップと、
ｂ）前記映像データ内に指定される位置の映像信号レベルを測定し、映像信号レベル・データを生成するステップと、
ｃ）前記映像データと前記映像信号レベル・データとを含む表示データを生成するステップと、
を含む方法。
【請求項２１】  請求項２０に記載の方法であって、該方法はさらに、
ｄ）前記位置に対応する位置データを、映像信号レベルを表示する表示装置から受信するステップと、
ｅ）前記表示データを、前記表示装置に対して送信するステップと、
を含む方法。
【請求項２２】  請求項２１に記載の方法であって、
前記ステップｄ）において、前記位置データが、無線を介して受信され、
前記ステップｅ）において、前記表示データが、無線を介して送信される、方法。
【請求項２３】  請求項２０に記載の方法であって、該方法はさらに、
ｆ）前記映像信号レベルが所定の範囲内にあるか否かを判定し、判定データを生成するステップを含み、
前記ステップｃ）において生成する前記表示データが、さらに前記判定データを含む、方法。
【請求項２４】  請求項２３に記載の方法であって、
前記ステップｂ）において生成される前記映像信号レベル・データが、赤色、緑色及び青色からなり、
前記ステップｆ）において生成される前記判定データが、赤色、緑色及び青色の判定データからなる、方法。
【請求項２５】  請求項２３に記載の方法にであって、
前記ステップｂ）において生成される前記映像信号レベル・データが、少なくとも輝度又は色差の成分を含み、
前記ステップｆ）において生成される前記判定データが、少なくとも輝度又は色差の成分を含む、方法。
【請求項２６】  請求項２１に記載の方法であって、
前記ステップｃ）において生成される前記表示データが、Ｗｅｂコンテンツ・データ形式であり、
前記ステップｅ）において送信される前記表示データが、Ｗｅｂコンテンツ・データ形式である、方法。
【請求項２７】  請求項２０に記載の方法であって、該方法はさらに、
ｇ）前記映像データ内に指定される位置に対応するポインタ・データを生成するステップを含み、
前記ステップｃ）において生成される前記表示データが、前記ポインタ・データをさらに含む、方法。
【請求項２８】  請求項２０に記載の方法であって、該方法はさらに、
ｈ）前記ステップａ）において生成される前記映像データを、指定される倍率データに対応する倍率で、拡大し又は縮小するステップを含み、
前記ステップｃ）において生成される前記表示データが、拡大され又は縮小された映像データを含む、方法。
【請求項２９】  映像信号レベルを表示する表示方法であって、
ａ）映像データと映像信号レベル・データとを含む表示データを、映像信号レベルを測定する測定器から受信するステップと、
ｂ）前記表示データを視覚化し、映像と映像信号レベルとを表示するステップと、
ｃ）表示された前記映像内の位置を指定し、位置データを生成するステップと、
ｄ）前記位置データを、前記測定器に対して送信するステップと、
を含む表示方法。
【請求項３０】  請求項２９に記載の表示方法であって、
前記ステップａ）において、前記表示データが、無線を介して受信され、
前記ステップｄ）において、前記位置データが、無線を介して送信される、表示方法。
【請求項３１】  請求項２９に記載の表示方法であって、
前記ステップａ）において受信される前記表示データが、前記映像信号レベルが所定の範囲内にあるか否かを示す判定データをさらに含み、
前記ステップｂ）において視覚化される前記表示データが、前記判定データをさらに含む、表示方法。
【請求項３２】  請求項３１に記載の表示方法であって、
前記ステップａ）において受信する前記表示データが、赤色、緑色及び青色の映像信号レベル・データからなる前記映像信号レベル・データと赤色、緑色及び青色の判定データを含み、
前記ステップｂ）において視覚化する前記表示データが、赤色、緑色及び青色の映像信号レベルからなる映像信号レベル・データと赤色、緑色及び青色の判定からなる判定とを含む、表示方法。
【請求項３３】  請求項３１に記載の表示装置であって、
前記ステップａ）において受信する前記表示データが、少なくとも輝度又は色差の成分を含む前記映像信号レベル・データと少なくとも輝度又は色差の成分を含む前記判定データとを含み、
前記ステップｂ）において視覚化する前記表示データが、少なくとも輝度又は色差の成分を含む映像信号レベル・データと少なくとも輝度又は色差の成分を含む判定とを含む、表示方法。
【請求項３４】  請求項３１に記載の表示方法であって、
前記ステップａ）において受信する前記表示データが、Ｗｅｂコンテンツ・データ形式であり、
前記ステップｂ）において視覚化する前記表示データが、Ｗｅｂブラウザ機能を利用して、Ｗｅｂコンテンツ・データ形式で視覚化される、表示方法。
【請求項３５】  請求項２９に記載の表示方法にあって、該表示方法はさらに、
ｅ）前記映像データ内に指定される位置に対応するポインタ・データを生成し、前記ポインタ・データをさらに含む前記表示データを生成するステップを含む表示方法。
【請求項３６】  請求項２９に記載の表示方法であって、該表示方法はさらに、
ｆ）映像を拡大し又は縮小する倍率を指定し、倍率データを生成するステップを含み、
前記ステップｄ）において、前記倍率データを前記測定器に対して送信し、
前記ステップａ）において、拡大され又は縮小された映像データを含む前記表示データを前記測定器にから受信する表示方法。